(57)【要約】【課題】記憶手段に対する情報の記憶が容易でメンテナンス時期を正確に告知可能な建設機械のメンテナンス時期告知装置を提供する。【解決手段】メンテナンス時期告知装置を、現在位置認識手段１と、実稼働時間検出手段２と、記憶手段３と、告知手段４と、前記現在位置認識手段１、前記実稼働時間検出手段２及び前記記憶手段３の出力信号を取り込み、前記告知手段４の駆動信号を出力する制御手段５とから構成する。記憶手段３には、地図上の各地域Ａ，Ｂ，Ｃ，・・・と、各地域ごとのエンジン燃料の性状Ａ１，Ｂ１，Ｃ１，・・・と、メンテナンス項目Ａ１１，Ａ１２，Ｂ１１，Ｂ１２，Ｃ１１，Ｃ１２，・・・と、エンジン燃料の性状に応じた各メンテナンス項目ごとのメンテナンス時期ａ，ｂ，ｃ，ｄ，ｅ，ｆ，・・・とを記憶する。【選択図】図２
2007262806.tif 000002
【特許請求の範囲】
【請求項１】
自車の現在位置を認識する現在位置認識手段と、
エンジンの実稼働時間を検出する実稼働時間検出手段と、
地域ごとのエンジン燃料の性状及びエンジン燃料の性状に応じたメンテナンス項目ごとのメンテナンス時期が記憶された記憶手段と、
前記エンジンの実稼働時間が前記メンテナンス時期に達したことを前記メンテナンス項目ごとに運転者又は管理者に告知する告知手段と、
前記現在位置認識手段から出力される現在位置情報と前記記憶手段に記憶された地域情報とを照合して自車が現在存在する地域を割り出し、割り出された地域に関連付けて前記記憶手段に記憶されたメンテナンス時期をメンテナンス項目ごとに前記記憶手段から読み出すと共に、読み出されたメンテナンス時期と前記実稼働時間検出手段から出力される実稼働時間とを照合して前記実稼働時間が前記メンテナンス時期に達したか否かを判定し、達したと判定された場合に前記告知手段の駆動信号を出力する制御手段とを備えたことを特徴とする建設機械のメンテナンス時期告知装置。
【請求項２】
請求項１に記載の建設機械のメンテナンス時期告知装置において、
前記メンテナンス項目が、前記エンジンの燃料供給系統に備えられた燃料フィルタの交換時期、前記エンジンの燃料供給系統を構成する燃料供給配管内の水抜き時期、前記エンジン及び車体のグリスアップ時期、前記エンジンの潤滑系統を循環するエンジンオイルの交換時期及び前記エンジンの冷却水循環系統を循環する冷却水の交換時期から選択される少なくとも１項目であることを特徴とする建設機械のメンテナンス時期告知装置。
【発明の詳細な説明】
【技術分野】
【０００１】
本発明は、建設機械のメンテナンス時期告知装置に係り、特に、エンジン燃料の性状を考慮した建設機械のメンテナンス時期告知を行う装置に関する。
【背景技術】
【０００２】
建設機械は、所定の性能を長期間にわたって発揮できるようにするため、適切なインターバルでメンテナンスを施すことが望ましい。建設機械に施されるメンテナンスには多くの項目があるが、例えばエンジンの燃料供給系統に備えられた燃料フィルタの交換時期やエンジンの燃料供給系統を構成する燃料供給配管内の水抜き時期などのように、エンジン燃料の性状に応じてメンテナンスを施すべき時期が影響を受ける項目もある。
【０００３】
即ち、建設機械に搭載されるディーゼルエンジンの燃料である軽油、灯油、重油等は、同種の燃料であってもそれが供給される地域や保管状態よってごみ量、水分量及びイオウ含有量等の性状が著しく異なる。そして、例えばごみ量が多い燃料を使用する場合には、燃料フィルタを通常よりも早めに交換しないと、燃料フィルタが目詰まりを起こしてエンジン出力が低下したり、最悪の場合には燃料ポンプの可動部等が焼き付くといった不都合が生じる。また、水分量が多い燃料を使用する場合には、配管の水抜きを早めに実施しないと、燃焼室内に過大な水分を含む燃料が吹き込まれてエンジン出力が低下したり、最悪の場合には潤滑油中に水分が混入して潤滑性能が低下しエンジンピストンが焼き付くといった不都合が生じる。
【０００４】
従来より、かかるエンジン燃料の性状に起因する不都合の発生を未然に防止するため、エンジンの実稼働時間を検出する実稼働時間検出手段と、エンジンで使用している燃料のランクを決定する燃料ランク決定手段と、予め設定されたエンジンの目標オイル交換時期を燃料ランク決定手段で決定された燃料ランクに応じて補正し、補正した新しい目標値を実稼働時間検出手段で検出された実稼働弛緩を積算した値とを比較することによりオイル交換時期を判定する交換時期判定手段とを備えた建設機械のオイル交換時期判定装置が提案されている（例えば、特許文献１参照。）。
【０００５】
特許文献１に開示の建設機械のオイル交換時期判定装置によれば、使用しているエンジン燃料の性状に応じた最適なオイル交換時期を判定できるので、誤ったオイル交換時期を表示してエンジンに損傷を与えることがない。
【特許文献１】特開２００５−２３３１１９号公報
【発明の開示】
【発明が解決しようとする課題】
【０００６】
しかしながら、特許文献１に開示の建設機械のオイル交換時期判定装置は、燃料ランク決定手段に、作業分類（油圧ポンプ吐出圧及び燃料温度）と環境分類（大気圧及び外気圧）と燃料ランクとエンジン回転数頻度とエンジン負荷率頻度との関係を示す燃料ランク識別マップを予め登録しておき、当該マップに登録された作業分類、環境分類、エンジン回転数頻度及びエンジン負荷率頻度と作業時における作業分類、環境分類、エンジン回転数頻度及びエンジン負荷率頻度とを比較することによって、使用されている燃料のランクを抽出する構成であるので、前記燃料ランク識別マップを作製するに際して、性能が異なる各建設機械ごとに膨大な試験を実施しなくてはならないという問題がある。
【０００７】
また、特許文献１に開示の建設機械のオイル交換時期判定装置は、エンジンの実稼働時間（老朽化）に応じて燃料ランク識別マップに記憶された各種のパラメータが変化するので、所定時間ごとに燃料ランク識別マップの更新を行わなくてはならないという問題もある。
【０００８】
本発明は、かかる従来技術の不備を解決するためになされたものであり、その目的は、記憶手段に対する情報の記憶が容易でメンテナンス時期を正確に告知可能な建設機械のメンテナンス時期告知装置を提供することにある。
【課題を解決するための手段】
【０００９】
本発明は、前記課題を解決するため、第１に、自車の現在位置を認識する現在位置認識手段と、エンジンの実稼働時間を検出する実稼働時間検出手段と、地域ごとのエンジン燃料の性状及びエンジン燃料の性状に応じたメンテナンス項目ごとのメンテナンス時期が記憶された記憶手段と、前記エンジンの実稼働時間が前記メンテナンス時期に達したことを前記メンテナンス項目ごとに運転者又は管理者に告知する告知手段と、前記現在位置認識手段から出力される現在位置情報と前記記憶手段に記憶された地域情報とを照合して自車が現在存在する地域を割り出し、割り出された地域に関連付けて前記記憶手段に記憶されたメンテナンス時期をメンテナンス項目ごとに前記記憶手段から読み出すと共に、読み出されたメンテナンス時期と前記実稼働時間検出手段から出力される実稼働時間とを照合して前記実稼働時間が前記メンテナンス時期に達したか否かを判定し、達したと判定された場合に前記告知手段の駆動信号を出力する制御手段とを備えるという構成にした。
【００１０】
例えば、砂漠地帯で供給されるエンジン燃料は砂粒などのごみ量が多く、熱帯雨林帯で供給されるエンジン燃料は水分量が多く、ある国のある地域で供給されるエンジン燃料はイオウ分が多いという具合に、建設機械に供給されるエンジン燃料の性状については、地球上の各地域ごとの属性として知られている。また、供給されるエンジン燃料の性状に応じた各メンテナンス項目ごとの適切なメンテナンス時期も、経験の積み重ねにより判明している。したがって、記憶手段に各地域ごとのエンジン燃料の性状とエンジン燃料の性状に応じたメンテナンス項目ごとのメンテナンス時期とを予め記憶しておき、現在位置認識手段により自車の地図上の現在位置を認識して、現在位置認識手段により認識された自車の現在位置と記憶手段に記憶された地域情報とを照合する構成にすると、自車が現在存在する地域と当該地域において供給されるエンジン燃料の性状と当該エンジン燃料の性状に応じたメンテナンス時期とをメンテナンス項目ごとに記憶手段から読み出すことができる。また、読み出されたメンテナンス時期と実稼働時間検出手段から出力される実稼働時間とを照合すれば、実稼働時間が前記メンテナンス時期に達したか否かを判定できるので、達したと判定された場合に告知手段によりその状態を告知することにより、運転者又は管理者に特定のメンテナンス項目についてメンテナンス時期に達したことを確実に告知できる。
【００１１】
また本発明は、前記第１の構成の建設機械のメンテナンス時期告知装置において、前記メンテナンス項目が、前記エンジンの燃料供給系統に備えられた燃料フィルタの交換時期、前記エンジンの燃料供給系統を構成する燃料供給配管内の水抜き時期、前記エンジン及び車体のグリスアップ時期、前記エンジンの潤滑系統を循環するエンジンオイルの交換時期及び前記エンジンの冷却水循環系統を循環する冷却水の交換時期から選択される少なくとも１項目であるという構成にした。
【００１２】
これらのメンテナンス項目についてメンテナンス時期の告知を行うと、使用するエンジン燃料の性状の違いによって影響を受ける建設機械のメンテナンスを適切に行うことができる。
【発明の効果】
【００１３】
本発明の建設機械のメンテナンス時期告知装置は、記憶手段に地域ごとのエンジン燃料の性状とエンジン燃料の性状に応じたメンテナンス項目ごとのメンテナンス時期とを予め記憶しておき、現在位置認識手段により認識された自車の現在位置に基づいて記憶手段からエンジン燃料の性状に応じたメンテナンス時期をメンテナンス項目ごとに読み出すので、エンジンの回転状態や油圧ポンプの駆動状態を対比することにより燃料ランクを抽出する場合に比べて、記憶手段に記憶される情報の作成を容易なものにすることができる。また、エンジンの老朽化に応じて記憶手段の記憶情報を更新する必要がないので、この点からも使用を便利にすることができる。
【発明を実施するための最良の形態】
【００１４】
以下、本発明に係るメンテナンス時期告知装置の実施形態を図１乃至図４に基づいて説明する。図１は実施形態に係るメンテナンス時期告知装置の構成を示すブロック図、図２は記憶手段に記憶される情報マップの一例を示す表図、図３は告知手段の設置例を示すモニターの正面図、図４は実施形態に係るメンテナンス時期告知装置の動作を示すフロー図である。
【００１５】
図１に示すように、本例のメンテナンス時期告知装置は、現在位置認識手段１と、実稼働時間検出手段２と、記憶手段３と、告知手段４と、前記現在位置認識手段１、前記実稼働時間検出手段２及び前記記憶手段３の出力信号を取り込み、前記告知手段４の駆動信号を出力する制御手段５とから主に構成される。
【００１６】
現在位置認識手段１は、自車の地図上の現在位置を認識するもので、ＧＰＳ（全地球測位システム）などを用いることができる。現在位置認識手段１としてＧＰＳを用いる場合には、ＧＰＳを建設機械の車体に装備することにより、自車の地図上の現在位置を認識することができる。
【００１７】
実稼働時間検出手段２は、エンジンの実稼働時間を検出するもので、アワーメータなどを用いることができる。
【００１８】
記憶手段３には、図２に示すように、地図上の地域Ａ，Ｂ，Ｃ，・・・と、各地域ごとのエンジン燃料の性状Ａ１，Ｂ１，Ｃ１，・・・と、メンテナンス項目Ａ１１，Ａ１２，Ｂ１１，Ｂ１２，Ｃ１１，Ｃ１２，・・・と、エンジン燃料の性状に応じた各メンテナンス項目ごとのメンテナンス時期ａ，ｂ，ｃ，ｄ，ｅ，ｆ，・・・とが記憶される。各地域Ａ，Ｂ，Ｃ，・・・ごとのエンジン燃料の性状Ａ１，Ｂ１，Ｃ１，・・・及びエンジン燃料の各性状Ａ１，Ｂ１，Ｃ１，・・・に応じた各メンテナンス項目ごとのメンテナンス時期ａ，ｂ，ｃ，ｄ，ｅ，ｆ，・・・は、試験又は研究により蓄積されたデータに基づいて記憶される。前記メンテナンス項目Ａ１１，Ａ１２，Ｂ１１，Ｂ１２，Ｃ１１，Ｃ１２，・・・としては、エンジンの燃料供給系統に備えられた燃料フィルタの交換時期、エンジンの燃料供給系統を構成する燃料供給配管内の水抜き時期、エンジン及び車体のグリスアップ時期、エンジンの潤滑系統を循環するエンジンオイルの交換時期及びエンジンの冷却水循環系統を循環する冷却水の交換時期から選択される少なくとも１項目とすることができる。
【００１９】
告知手段４としては、ランプ、ブザー又は表示装置などを用いることができる。図３は告知手段４の設置例を示す図であって、点灯時に燃料フィルタの交換時期に達したことを示す燃料フィルタランプ４ａと、点灯時に燃料供給配管内の水抜き時期に達したことを示す水抜きランプ４ｂとが、水温計１１及び燃料計１２と共にモニター１０に設定されている。運転者又は管理者は、ランプ４ａ，４ｂを見ることにより、消灯時には未だメンテナンス時期に達していないことを知ることができ、点灯時にはメンテナンス時期に達したことを知ることができる。よって、点灯したランプ４ａ，４ｂに応じた適切なメンテナンスを施すことにより、建設機械の故障や寿命の低下を未然に防止することができる。なお、告知手段４として表示装置を用いる場合には、その画面上に各種メンテナンス項目を表示すると共に、各種メンテナンス項目のうちのメンテナンス時期に達したものを適宜表示させることができる。
【００２０】
制御手段５は、マイクロコンピュータなどをもって構成され、現在位置認識手段１から出力される現在位置情報、実稼働時間検出手段２から出力される実稼働時間情報及び      記憶手段３に記憶された記憶情報を取り込んで各メンテナンス項目Ａ１１，Ａ１２，Ｂ１１，Ｂ１２，Ｃ１１，Ｃ１２，・・・ごとにメンテナンス時期ａ，ｂ，ｃ，ｄ，ｅ，ｆ，・・・に達したか否かを判定し、メンテナンス時期に達したと判定した場合、告知手段４に対して駆動信号を出力する。なお、前記記憶手段３としては、制御手段５の内蔵メモリを利用することもできる。
【００２１】
以下、図４に基づいて、実施形態に係るメンテナンス時期告知装置の動作を説明する。制御装置５を起動すると、制御手段５は、現在位置認識手段１から出力される現在位置情報の取り込み（手順Ｓ１）を行った後、記憶手段３にアクセスして、先に取り込まれた現在位置情報と記憶手段３に記憶された地域情報Ａ，Ｂ，Ｃ，・・・とを照合（手順Ｓ２）し、先に取り込まれた現在位置情報に相当する地域情報を抽出する（手順Ｓ３）。次に、制御手段５は、抽出された地域情報に関連付けて記憶手段３に記憶されたメンテナンス時期ａ，ｂ，ｃ，ｄ，ｅ，ｆ，・・・を、各メンテナンス項目Ａ１１，Ａ１２，Ｂ１１，Ｂ１２，Ｃ１１，Ｃ１２，・・・ごとに記憶手段３から読み出す（手順Ｓ４）。次いで、制御手段５は、実稼働時間検出手段２から出力される実稼働時間を取り込み（手順Ｓ５）、手順Ｓ４で記憶手段３から読み出されたメンテナンス時期ａ，ｂ，ｃ，ｄ，ｅ，ｆ，・・・と手順Ｓ５で取り込まれた実稼働時間とを対比し、実稼働時間が各メンテナンス時期ａ，ｂ，ｃ，ｄ，ｅ，ｆ，・・・に達しているか否かを判定する（手順Ｓ６）。手順Ｓ６で実稼働時間が各メンテナンス時期ａ，ｂ，ｃ，ｄ，ｅ，ｆ，・・・に達していると判定された場合、制御手段５は、告知手段４に駆動信号を出力し（手順Ｓ７）、運転者又は管理者に所定の項目についてのメンテナンスを実施するよう促す。手順Ｓ６で実稼働時間が各メンテナンス時期ａ，ｂ，ｃ，ｄ，ｅ，ｆ，・・・に達していないと判定された場合、制御手段５は、手順Ｓ１に戻って前述の手順を繰り返す。
【００２２】
本例の建設機械のメンテナンス時期告知装置は、記憶手段３に地域情報Ａ，Ｂ，Ｃ，・・・と各地域ごとのエンジン燃料の性状情報Ａ１，Ｂ１，Ｃ１，・・・とエンジン燃料の性状に応じたメンテナンス項目Ａ１１，Ａ１２，Ｂ１１，Ｂ１２，Ｃ１１，Ｃ１２，・・・ごとのメンテナンス時期ａ，ｂ，ｃ，ｄ，ｅ，ｆ，・・・とを予め記憶しておき、現在位置認識手段１により認識された自車の現在位置に基づいて記憶手段３からエンジン燃料の性状に応じたメンテナンス時期をメンテナンス項目ごとに読み出すので、従来技術に比べて記憶手段３に記憶される情報の作成を容易なものにすることができる。また、エンジンの老朽化に応じて記憶手段の記憶情報を更新する必要がないので、この点からも使用を便利にすることができる。
【図面の簡単な説明】
【００２３】
【図１】実施形態に係るメンテナンス時期告知装置の構成を示すブロック図である。
【図２】記憶手段に記憶される情報マップの一例を示す表図である。
【図３】告知手段の設置例を示すモニターの正面図である。
【図４】実施形態に係るメンテナンス時期告知装置の動作を示すフロー図である。
【符号の説明】
【００２４】
１    現在位置認識手段
２    実稼働時間検出手段
３    記憶手段
４    告知手段
５    制御手段
１０    モニター
Ａ，Ｂ，Ｃ，・・・    地域情報
Ａ１，Ｂ１，Ｃ１，・・・    燃料性状
Ａ１１，Ａ１２，Ｂ１１，Ｂ１２，Ｃ１１，Ｃ１２，・・・    メンテナンス項目
ａ，ｂ，ｃ，ｄ，ｅ，ｆ，・・・    メンテナンス時期
【図１】
2007262806.tif 000003
【図２】
2007262806.tif 000004
【図３】
2007262806.tif 000005
【図４】
2007262806.tif 000006